(57)【要約】【課題】引き戸の開閉状態を検知、送信するとともに、引き戸の開閉状態を検知するためのマグネットとリードスイッチの取り付け位置の設定、確認を容易に行うことができる送信器を提供する。【解決手段】モード切替スイッチ２４を施工モードに切り替えた場合、窓が開いてマグネット１がリードスイッチ２１の検知可能範囲から外れてリードスイッチ２１がオフすると、制御部２３はブザー２５から報知音を出力させる。このとき、制御部２３は無線送信部２２を介して警報信号を送信しない。そして、適正なタイミングでリードスイッチ２１がオフしてブザー２５が報知音を出力するようにマグネット１の取付位置を設定してその動作を確認する。モード切替スイッチ２４を警戒モードに切り替えれば、通常の防犯動作に戻る。【選択図】        図１
2004353205.tif 000002
【特許請求の範囲】
【請求項１】
引き戸または造営物に設けたマグネットの磁気を検出することで引き戸の開閉を検知するリードスイッチと、リードスイッチの検知結果を用いて防犯動作を行う警戒モードまたはマグネットとリードスイッチとの位置関係を設定、確認する施工モードに切り替えるモード切替手段と、リードスイッチが引き戸の開状態を検知した場合、警戒モードであれば外部の受信器へ警報信号を送信し、施工モードであれば受信器へ警報信号を送信しない無線送信手段と、施工モード時にリードスイッチの検知結果を報知する報知手段とを備えることを特徴とする送信器。
【請求項２】
前記モード切替手段を施工モードに切り替えてから一定時間後に警戒モードに切り替えるタイマ手段を備えることを特徴とする請求項１記載の送信器。
【請求項３】
前記報知手段は、警戒モード時及び施工モード時にリードスイッチの検知結果に応じて報知音を出力し、報知音は警戒モードと施工モードとで異なることを特徴とする請求項１記載の送信器。
【発明の詳細な説明】
【０００１】
【発明の属する技術分野】
本発明は、引き戸の開閉を監視する防犯システム等に用いられ、マグネットを検出することで引き戸の開閉状態を検知するリードスイッチを備えて、該検知結果をワイヤレス信号で送信する送信器に関するものである。
【０００２】
【従来の技術】
従来、引き戸構成の窓の施解錠を行う施錠装置、例えばクレセント錠を用いた防犯システムにおいて、窓の開閉状態を検知するリードスイッチを備えて、この検知結果をワイヤレス信号で住宅情報盤等の受信器へ送信する送信器を設けたものが提供されている。この場合、一対の引き戸構成の窓のうち一方の窓の桟に取り付けられたリードスイッチが他方の窓や窓の桟に取り付けられたマグネットで駆動されることで窓の開閉状態を検知するようになっている。（例えば、特許文献１参照。）
図５は、上記窓の開閉状態を検知するための従来のマグネット１、送信器２、受信器３の構成を示している。送信器２は、リードスイッチ２１と、無線送信部２２と、制御部２３とから構成され、受信器３は、無線受信部３１と、ブザー３２と、制御部３３とから構成される。
【０００３】
以下、この送信器２を用いた窓の開閉状態検知動作について説明する。まず、窓が閉じている状態では、マグネット１とリードスイッチ２１とは対向しており、リードスイッチ２１はマグネット１の磁気によりオンしている。そして侵入者等が窓を開くと、マグネット１とリードスイッチ２１とは互いに離れる方向に移動し、マグネット１はリードスイッチ２１の検知可能範囲から外れてリードスイッチ２１はオフとなり、窓の開状態を検知する。開状態を検知すると、送信器２の制御部２３は無線送信部２２を介して警報信号を送信する。そして受信器３側のモードによっては、無線受信部３１を介して警報信号を受信した制御部３２がブザー３３から警報音を出力させることにより受信器３が警報報知を行い、侵入者に対する防犯動作を行う。
【０００４】
ここで上記防犯動作は、マグネット１と送信器２のリードスイッチ２１の取り付け位置の設定（位置決め）を正しく行わなければ正常に動作しない。従来は、施工完了時にテスターを各商品に接続して動作確認を行い、このときにマグネット１とリードスイッチ２１の取り付け位置の確認を行っていた。
【０００５】
【特許文献１】
特開平７−２３３６６７号公報（段落番号［００１２］〜［００１５］）
【０００６】
【発明が解決しようとする課題】
しかし上記従来のマグネット１とリードスイッチ２１の取り付け位置の確認には、テスターを予め用意する必要があり、施工完了時の動作確認においてしか取り付け位置の確認ができなかった。
【０００７】
本発明は、上記事由に鑑みてなされたものであり、その目的は、引き戸の開閉状態を検知、送信するとともに、引き戸の開閉状態を検知するためのマグネットとリードスイッチの取り付け位置の設定、確認を容易に行うことができる送信器を提供することにある。
【０００８】
【課題を解決するための手段】
請求項１の発明は、引き戸または造営物に設けたマグネットの磁気を検出することで引き戸の開閉を検知するリードスイッチと、リードスイッチの検知結果を用いて防犯動作を行う警戒モードまたはマグネットとリードスイッチとの位置関係を設定、確認する施工モードに切り替えるモード切替手段と、リードスイッチが引き戸の開状態を検知した場合、警戒モードであれば外部の受信器へ警報信号を送信し、施工モードであれば受信器へ警報信号を送信しない無線送信手段と、施工モード時にリードスイッチの検知結果を報知する報知手段とを備えることを特徴とする。
【０００９】
請求項２の発明は、請求項１において、前記モード切替手段を施工モードに切り替えてから一定時間後に警戒モードに切り替えるタイマ手段を備えることを特徴とする。
【００１０】
請求項３の発明は、請求項１において、前記報知手段は、警戒モード時及び施工モード時にリードスイッチの検知結果に応じて報知音を出力し、報知音は警戒モードと施工モードとで異なることを特徴とする。
【００１１】
【発明の実施の形態】
以下、本発明の実施の形態を図面に基づいて説明する。
【００１２】
（実施形態１）
本実施形態は、引き戸構成の窓の施解錠を行う施錠装置、例えばクレセント錠を用いた防犯システムに用いられ、窓の開閉状態を検知するリードスイッチを備えて、この検知結果をワイヤレス信号で住宅情報盤等の受信器へ送信する送信器に関するもので、従来例と同様に、一対の引き戸構成の窓のうち一方の窓や窓の桟に取り付けられたリードスイッチが他方の窓や窓の桟に取り付けられたマグネットで駆動されることで窓の開閉状態を検知する。あるいはリードスイッチとマグネットとのうちいずれか一方を窓側に設け、他方を屋内の壁面等の造営物側に設けてもよい。図１は、本実施形態のマグネット１、送信器２、受信器３の構成を示している。送信器２は、リードスイッチ２１と、無線送信部２２と、制御部２３と、モード切替スイッチ２４と、ブザー２５とから構成され、受信器３は、無線受信部３１と、ブザー３２と、制御部３３とから構成される。
【００１３】
以下、この送信器２を用いた窓の開閉状態検知動作について説明する。まず、窓が閉じている状態では、マグネット１とリードスイッチ２１とは対向しており、リードスイッチ２１はマグネット１の磁気によりオンしている。そして侵入者等が窓を開くとマグネット１とリードスイッチ２１とは互いに離れる方向に移動し、マグネット１はリードスイッチ２１の検知可能範囲から外れてリードスイッチ２１はオフとなり、窓の開状態を検知する。
【００１４】
ここで、モード切替スイッチ２４は、制御部２３の動作モードを警戒モードまたは施工モードに切り替えるもので、警戒モードは侵入者に対する通常の防犯動作を行うモード、施工モードは施工時にマグネット１とリードスイッチ２１との位置関係を設定、確認する（位置決め）モードである。
【００１５】
施工モードでの動作について以下説明する。モード切替スイッチ２４を施工モードに切り替えた場合、窓が開いてマグネット１がリードスイッチ２１の検知可能範囲から外れてリードスイッチ２１がオフすると、制御部２３はブザー２５から報知音を出力させる。このとき、制御部２３は無線送信部２２を介して警報信号を送信しない。すなわち、施工モードでは受信器３の不必要な動作を行わないのである。そして、適正なタイミングでリードスイッチ２１がオフしてブザー２５が報知音を出力するようにマグネット１の取付位置を設定してその動作を確認すれば、テスターを用いることなく施工中であってもマグネット１とリードスイッチ２１との位置関係を容易に設定、確認することができる。さらには、上記設定・確認作業の後にモード切替スイッチ２４を警戒モードに切り替えれば、通常の防犯動作に戻ることができる。
【００１６】
また、警戒モードでの動作は従来例と同様に、侵入者等が窓を開くとマグネット１とリードスイッチ２１とは互いに離れる方向に移動し、マグネット１はリードスイッチ２１の検知可能範囲から外れてリードスイッチ２１はオフとなり、窓の開状態を検知する。開状態を検知すると、送信器２の制御部２３は無線送信部２２を介して警報信号を送信する。そして受信器３側のモードによっては、無線受信部３１を介して警報信号を受信した制御部３２がブザー３３から警報音を出力させることにより受信器３が警報報知を行い、侵入者に対する防犯動作を行う。
【００１７】
（実施形態２）
本実施形態のクレセント錠装置のマグネット１、送信器２、受信器３の構成は図２に示され、実施形態１のブザー２５をＬＥＤ２６に変更したものである。モード切替スイッチ２４を施工モードに切り替えた場合、窓が開いてマグネット１がリードスイッチ２１の検知可能範囲から外れてリードスイッチ２１がオフすると、制御部２３はＬＥＤ２６を点灯させる。そして、適正なタイミングでリードスイッチ２１がオフしてＬＥＤ２６が点灯するようにマグネット１の取付位置を設定してその動作を確認すれば、テスターを用いることなく施工中であってもマグネット１とリードスイッチ２１との位置関係を容易に設定、確認することができる。さらには、上記設定・確認作業の後にモード切替スイッチ２４を警戒モードに切り替えれば、通常の防犯動作に戻ることができる。他の構成は実施形態１と同様であり説明は省略する。
【００１８】
（実施形態３）
本実施形態のクレセント錠装置のマグネット１、送信器２、受信器３の構成は図３に示され、実施形態１の送信器２にタイマー回路２７を付加したものである。タイマー回路２７はモード切替スイッチ２４が施工モードに切り替わってから一定時間（例えば３分間）カウントし、一定時間が経過した時点で制御部２３にカウントアップ信号を出力するもので、カウントアップ信号を受けた制御部２３はモード切替スイッチ２４を施工モードから警戒モードに切り替える。したがって、施工モードで作業を行った後に警戒モードに戻し忘れた場合でも、自動的に警戒モードに戻るため、防犯性に優れている。他の構成は実施形態１と同様であり説明は省略する。
【００１９】
（実施形態４）
本実施形態のクレセント錠装置のマグネット１、送信器２、受信器３の構成は図１に示される実施形態１と同様であり、施工モードにおいて、窓が開いてマグネット１がリードスイッチ２１の検知可能範囲から外れてリードスイッチ２１がオフすると、制御部２３はブザー２５から報知音を出力させる。さらには、警戒モードにおいても、リードスイッチ２１がオフになると、送信器２の制御部２３は無線送信部２２を介して警報信号を送信するだけでなく、ブザー２５に警報の報知音を出力させる。
【００２０】
図４（ａ）は、警戒モードにおいて窓が開いてリードスイッチ２１がオフとなったときのブザー２５が出力する報知音の波形を示しており、周波数１．３ＫＨｚで３回報知となっている。図４（ｂ）は、施工モードにおいて窓が開いてリードスイッチ２１がオフとなったときのブザー２５が出力する報知音の波形を示しており、周波数０．４ＫＨｚで連続報知となっている。このように、警戒モードと施工モードとでブザー２５の報知音の報知パターン、周波数が異なるので、現在のモードを区別しやすく、施工モードで作業を行った後に警戒モードに戻し忘れることを防止できる。
【００２１】
また、警戒モードにおいては上記同様に、窓が開いてリードスイッチ２１がオフとなったときにブザー２５が報知音を出力し、施工モードにおいては、窓が閉じてリードスイッチ２１がオンとなったとき（マグネット１がリードスイッチ２１の動作範囲内にあるとき）にブザー２５が報知音を出力しても、報知のタイミングがモードによって異なるので、現在のモードを区別しやすくなり、上記同様の効果を得ることができる。
【００２２】
【発明の効果】
請求項１の発明によれば、引き戸の開閉状態を検知、送信するとともに、引き戸の開閉状態を検知するためのマグネットとリードスイッチの取り付け位置の設定、確認を、施工時に容易に行うことができて施工完了後に行う必要がないという効果がある。さらに、施工モードでは受信器へ警報信号を送信しないので、受信器は不必要な動作を行わない。
【００２３】
請求項２の発明によれば、施工業者が施工モードでマグネットとリードスイッチの取り付け位置の設定、確認を行った後警戒モードに戻し忘れた場合でも、自動的に警戒モードに戻るため防犯性に優れているという効果がある。
【００２４】
請求項３の発明によれば、施工モードと警戒モードとを簡易に区別でき、施工モードへの戻し忘れを防止することができるという効果がある。
【図面の簡単な説明】
【図１】本発明の実施形態１の構成を示す図である。
【図２】本発明の実施形態２の構成を示す図である。
【図３】本発明の実施形態３の構成を示す図である。
【図４】（ａ）本発明の実施形態４の警戒モードにおける報知音の波形を示す図である。
（ｂ）同上の施工モードにおける報知音の波形を示す図である。
【図５】従来例の構成を示す図である。
【符号の説明】
１  マグネット
２  送信器
３  受信器
２１  リードスイッチ
２２  無線送信部
２３  制御部
２４  モード切替スイッチ
２５  ブザー
３１  無線受信部
３２  ブザー
３３  制御部
【図１】
2004353205.tif 000003
【図２】
2004353205.tif 000004
【図３】
2004353205.tif 000005
【図４】
2004353205.tif 000006
【図５】
2004353205.tif 000007